(57)【特許請求の範囲】
【請求項１】
上位シートとその下に重ね合わせた下位シートとを一端縁に沿って接着し、これらシートの表出面の少なくとも一方を印字面となし、これらシートの重ね合わせ面の少なくとも一方には前記接着端と直交する二端縁に沿って、通常では接着せず所定以上の温度を加えると接着可能となる感熱型接着剤を設け、この感熱型接着剤設置部分は温度を加える前の非接着状態であることを特徴とする印字袋用重ね合わせシート。
【請求項２】
上位シートとその下に重ね合わせた下位シートとを一端縁に沿って接着し、これらシートの表出面の少なくとも一方を印字面となし、これらシートの重ね合わせ面の少なくとも一方には前記接着端と直交する二端縁に沿って、通常では接着せず所定以上の温度を加えると接着可能となる感熱型接着剤を設けてなる印字袋用重ね合わせシートを、接着端が進行方向を向くようにしてノンインパクトプリンタにかけ、前記印字面に所定情報を印字するとともに、感熱型接着剤を設けた二端縁を接着して、袋を作成することを特徴とする印字袋用重ね合わせシートを用いた印字袋の作成方法。
【発明の詳細な説明】
【０００１】
【発明の属する技術分野】
本発明は、印字袋用重ね合わせシート及びこの重ね合わせシートを用いた印字袋の作成方法に関する。
【０００２】
【従来の技術】
従来、トナーを加熱して定着するノンインパクトプリンタ、特にヒートロール方式のプリンタで、封筒をはじめとする各種袋状物に印字すると、印字面に熱が加わることにより、印字面を構成する基材に伸びが生じ、三周縁が接着されているのでこの伸びを吸収できず、しわが発生している。
【０００３】
【発明が解決しようとする課題】
このため従来例によると、情報を印字した面にシワが発生するので、見栄えが悪いという不都合を生じている。この不都合を解消するには、印字面を構成する基材を、加熱しても伸びにくい材質のものに変更することが考えられるが、これによるとコストが上がるという別の不都合を生じてしまう。本発明は、このような不都合を解消した、印字袋用重ね合わせシート及びこの重ね合わせシートを用いた印字袋の作成方法を提供することを目的とする。
【０００４】
【課題を解決するための手段】
この目的を達成するために、本発明の請求項１に記載した印字袋用重ね合わせシートは、上位シートとその下に重ね合わせた下位シートとを一端縁に沿って接着し、これらシートの表出面の少なくとも一方を印字面となし、これらシートの重ね合わせ面の少なくとも一方には前記接着端と直交する二端縁に沿って、通常では接着せず所定以上の温度を加えると接着可能となる感熱型接着剤を設け、この感熱型接着剤設置部分は温度を加える前の非接着状態であるというものである。
【０００５】
同じく上述の目的を達成するために、本発明の請求項２に記載した印字袋用重ね合わせシートを用いた印字袋の作成方法は、上位シートとその下に重ね合わせた下位シートとを一端縁に沿って接着し、これらシートの表出面の少なくとも一方を印字面となし、これらシートの重ね合わせ面の少なくとも一方には前記接着端と直交する二端縁に沿って、通常では接着せず所定以上の温度を加えると接着可能となる感熱型接着剤を設けてなる印字袋用重ね合わせシートを、接着端が進行方向を向くようにしてノンインパクトプリンタにかけ、前記印字面に所定情報を印字するとともに、感熱型接着剤を設けた二端縁を接着して、袋を作成するものである。
【０００６】
【発明の実施の形態】
以下、添付図面に基づいて本発明の好適な実施形態を説明する。ここにおいて、図１は印字袋用重ね合わせシートを示す平面図、図２は図１のＡ−Ａ線断面図、図３は下位シートの重ね合わせ面側を示す平面図、図４は作成した印字袋を示す平面図である。
【０００７】
図１〜図３に示すように、印字袋用重ね合わせシート１は、上位シート２とその下に重ね合わせた下位シート３とを、一端縁に沿って接着力の強い通常の接着剤４で接着し、前記上位シート２の表出面を印字面としている。前記接着剤４による接着は、前記一端縁と直交する二端縁部分にも若干伸びている。図３に示すように、下シート３の重ね合わせ面には、接着端と直交する二端縁に沿って、通常では接着せず所定以上の温度を加えると接着可能となる感熱型接着剤５を設けている。
【０００８】
この感熱型接着剤５としては、従来から知られているものを使用可能であるが、例えば、ディレードタック型粘着剤を使用することができる。このディレードタック型粘着剤は、通常状態では粘着性を有しないが、ある一定温度（活性化温度）以上の熱の付与によって粘着性を発現し、常温に冷却してもすぐには粘着性を失わず、一定期間粘着性を有するものである。
【０００９】
ディレードタック型粘着剤は、具体的には次のような物質からなる。すなわち、エチレン−エチルアクリル酸共重合体、ポリ酢酸ビニル、酢酸ビニル−エチレン共重合体、ポリメタクリル酸ブチル、塩化ビニル−塩化ビニリデン共重合体、酢酸ビニル−アリル酸２−エチルへキシル共重合体、ビニルピロリドン−スチレン共重合体、ビニルピロリドン−アクリル酸エチル共重合体、スチレン−ブタジエン共重合体、ポリアミド樹脂、ポリスチレン樹脂、ポリウレア樹脂などの熱接着性樹脂、また、ロジンのグリセリンエステル、ペンタエリスリトール変性ロジン、石油樹脂、インデン樹脂、エチルセルロース、αメチルスチレン−ビニルトルエン共重合体、テンペル油重合体、テンペルフェノール重合体等の粘着付与剤、そして、フタル酸ジヒドロアビエチル、フタル酸ジヘキシル、フタル酸ジフェニル、イソフタル酸ジメチル、トリ安息香酸エチレングリコール、テトラ安息香酸トリメチロールエタン、クエン酸トリジクロルヘキシル、ステアリン酸メトキシエチル−尿素錯体等の可塑剤を挙げることができる。さらに、必要に応じて、ワックス、酸化防止剤、乾燥剤、潤滑剤等の添加剤を添加してなるものである。
【００１０】
上述した印字袋用重ね合わせシート１から印字袋を作成するには、印字袋用重ね合わせシート１の接着端が進行方向を向くようにして公知のノンインパクトプリンタにかけ、上シート２の印字面に所定の情報６を印字するとともに、感熱型接着剤５を設けた二端縁に熱を付与して接着し、図４に示す印字袋７とするものである。ノンインパクトプリンタとしては、ヒートロール方式のものが適している。
【００１１】
ノンインパクトプリンタによる印字の際に、印字面に熱が付与され、上シート２は伸びるが、この時、印字袋用重ね合わせシート１の三周縁は非接着状態にあるので、伸びた状態で感熱型接着剤５により下シート３と接着され、しわがよることはない。
【００１２】
なお、本発明は上述した実施形態に限られるものではなく、例えば、上シート２のみならず、下シート３の表出面も印字面にした場合には、両面プリンタにより、一度の印字動作で、感熱型接着剤５による接着と同時に印字するものである。また、感熱型接着剤５としては、ホットメルト型粘着剤を使用してもよく、このホットメルト型粘着剤として使用される高分子としては、スチレン−イソプレン−スチレン、スチレン−ブタジエン−スチレン、スチレン−エチレン−ブチレン−スチレン、エチレン酢酸ビニルなどがある。
【００１３】
【発明の効果】
以上説明したように、本発明の請求項１に記載した印字袋用重ね合わせシートによれば、情報を印字した面にしわがよらず、見栄えのよい印字袋を得ることができるという効果を奏する。
【００１４】
また、本発明の請求項２に記載した印字袋作成方法によれば、請求項１に記載した印字袋用重ね合わせシートを使用することにより、情報を印字した面にしわがよらず、見栄えのよい印字袋を容易に作成できるという効果を奏する。
【図面の簡単な説明】
【図１】  印字袋用重ね合わせシートを示す平面図。
【図２】  図１のＡ−Ａ線断面図。
【図３】  下位シートの重ね合わせ面側を示す平面図。
【図４】  作成した印字袋を示す平面図。
【符号の説明】
１      印字袋用重ね合わせシート
２      上シート
３      下シート
４      接着剤
５      感熱型接着剤
６      情報
７      印字袋
【図１】
0003889582.tif 000002
【図２】
0003889582.tif 000003
【図３】
0003889582.tif 000004
【図４】
0003889582.tif 000005